(57)【要約】【課題】表示パネルの表示領域に孔を設けることなく、かつ、表示パネルの外形を異形状に切り出すことなく、表示領域にメーターの指針を配置することができるとともに、デザイン性及び機能性を兼ね備えたインパネを提供する。【解決手段】本発明のインストルメントパネル１は、複数の表示パネル１０と、複数の表示パネル１０上に、複数の表示パネル１０の周囲を囲む位置に設けられた遮光板１２と、遮光板１２上に設けられた円偏光板１４と、複数の表示パネル１０が平面視重なる領域外の遮光板１２を貫通して少なくとも一つ設けられた軸孔１６と、軸孔１６を介して駆動回路１５に電気的に接続された回動軸１７と、回動軸１７に固定された指針１８と、を備えることを特徴とする。【選択図】図１
2010179885.tif 000002
【特許請求の範囲】
【請求項１】
複数の表示パネルと、
前記複数の表示パネル上に、前記複数の表示パネルの周囲を囲む位置に設けられた遮光板と、
前記遮光板上に設けられた円偏光板と、
前記複数の表示パネルが平面視重なる領域外の前記遮光板を貫通して少なくとも一つ設けられた軸孔と、
前記軸孔を介して駆動回路に電気的に接続された回動軸と、
前記回動軸に固定された指針と、を備えることを特徴とするインストルメントパネル。
【請求項２】
前記表示パネルが、有機ＥＬディスプレイであることを特徴とする請求項１に記載のインストルメントパネル。
【請求項３】
前記複数の表示パネルが、互いに隣接して配置されていることを特徴とする請求項１または２に記載のインストルメントパネル。
【請求項４】
前記複数の表示パネルを保持する保持基板を備えることを特徴とする請求項１〜３のいずれか１項に記載のインストルメントパネル。
【請求項５】
前記保持基板上に設けられたスペーサーを介して透明基板が設けられていることを特徴とする請求項４に記載のインストルメントパネル。
【請求項６】
前記円偏光板が前記スペーサーと前記透明基板との間に、かつ、前記透明基板の露出する部位全体を覆って設けられていることを特徴とする請求項５に記載のインストルメントパネル。
【請求項７】
前記指針が発光体を備えていることを特徴とする請求項１〜６のいずれか１項に記載のインストルメントパネル。
【発明の詳細な説明】
【技術分野】
【０００１】
本発明は、インストルメントパネルに関するものである。
【背景技術】
【０００２】
従来、液晶ディスプレイ等の表示パネルを用いて車のスピードメーターやインジケーター等が配置されるインストルメントパネル（以下、インパネという。）が知られている。このようなインパネを製造するための技術が各種検討されており、例えば、特許文献１及び２では、アナログ式のメーターとデジタル式のメーターとを組みあわせた構造が開示されている、また、特許文献３〜６では、デザイン性及び機能性の面から表示パネルの外形を円形や多角形等の異形状にした構造が開示されている。
【先行技術文献】
【特許文献】
【０００３】
【特許文献１】特開平１１−１０８７００号公報
【特許文献２】特開２００５−６２６１２号公報
【特許文献３】特開２００２−２７７８６０号公報
【特許文献４】特開２００４−２１２４９８号公報
【特許文献５】特開２００６−２０１６６４号公報
【特許文献６】特開２００７−２５６４７１号公報
【発明の概要】
【発明が解決しようとする課題】
【０００４】
特許文献１〜６の技術にあっては、デザイン性及び機能性を兼ね備えたインパネを得ることができると考えられるが、以下のように問題点もある。
特許文献１及び２では、表示パネルの表示領域にメーターの指針を配置する際に、表示パネルの表示領域にメーターの指針を動かすための回動軸の軸孔を設ける必要があり、コストや生産性の面で困難な場合がある。また、特許文献３〜６では、表示パネルの外形を異形状に切り出す必要があり、コストや生産性、さらには信頼性の面で好ましくない。
【０００５】
一方、液晶ディスプレイを用いると、有機ＥＬ（Ｅｌｅｃｔｒｏ-Ｌｕｍｉｎｅｓｃｅｎｔ）ディスプレイ等の自発光型ディスプレイに比較して、黒表示時の光漏れが相対的に大きくなり、視認性が悪くなる場合がある。また、液晶ディスプレイを用いると、前記光漏れが大きくなることに起因して、表示パネルと筐体との継ぎ目の見えない構造（シームレス構造）とし、デザイン性を高めることが困難となる。
【０００６】
本発明はこのような事情に鑑みてなされたものであって、表示パネルの表示領域に孔を設けることなく、かつ、表示パネルの外形を異形状に切り出すことなく、表示領域にメーターの指針を配置することができるとともに、デザイン性及び機能性を兼ね備えたインパネを提供することを目的とする。
【課題を解決するための手段】
【０００７】
上記の課題を解決するため、本発明のインストルメントパネルは、複数の表示パネルと、前記複数の表示パネル上に、前記複数の表示パネルの周囲を囲む位置に設けられた遮光板と、前記遮光板上に設けられた円偏光板と、前記複数の表示パネルが平面視重なる領域外の前記遮光板を貫通して少なくとも一つ設けられた軸孔と、前記軸孔を介して駆動回路に電気的に接続された回動軸と、前記回動軸に固定された指針と、を備えることを特徴とする。
この構成によれば、表示パネルの重なる領域外の非表示領域にメーターの指針を動かすための回動軸の軸孔が設けられるので、特許文献１及び２のように表示パネルの表示領域に前記軸孔を設ける必要がない。このため、表示パネルの表示領域に前記軸孔を設けることなく、表示領域にメーターの指針を配置することができる。また、複数の表示パネルを有しているので、これら複数の表示パネルを任意に組み合わせることによりデザイン性を高めることができる。このため、特許文献３〜６のように、表示パネルの外形を異形状に切り出す必要がない。したがって、デザイン性及び機能性を兼ね備えるとともに、コストを低くし、生産性、信頼性に優れたインパネを得ることができる。また、余分な光を遮断する遮光板を備えているので、画面が見やすいインパネが提供できる。また、外光の反射を防ぐ反射防止機能を有する円偏光板を備えているので、照明や太陽光等の外光が表示パネルに映り込むのが防止され、視認性に優れたインパネが提供できる。また、円偏光板は表示パネルと遮光板との境界を見えにくくする機能を有するので、デザイン性に優れたインパネが提供できる。
【０００８】
本発明においては、前記表示パネルが、有機ＥＬディスプレイであることが望ましい。
この構成によれば、自発光型ディスプレイを用いるので、従来の液晶ディスプレイに比較して、黒表示時の光漏れを相対的に小さくし、視認性を良くすることができる。また、自発光型ディスプレイを用いると、黒表示時の光漏れが小さくなるので、シームレス構造とし、デザイン性を高めることが容易となる。これにより、複数の表示パネルとして複数の自発光型ディスプレイを用いると、複数の表示パネルを１枚の大画面の表示パネルのように見せることが可能となる。
【０００９】
本発明においては、前記複数の表示パネルが、互いに隣接して配置されていてもよい。
この構成によれば、複数の表示パネルを１枚の大画面の表示パネルのように見せることが可能となる。また、表示パネルの枚数や配置を任意に変更し、デザイン性に優れたインパネを提供することができる。
【００１０】
本発明においては、前記複数の表示パネルを保持する保持基板を備えていてもよい。
この構成によれば、複数の表示パネルがずれることなく保持基板により確実に保持されるので、デザイン性に優れたインパネが提供できる。
【００１１】
本発明においては、前記保持基板上に設けられたスペーサーを介して透明基板が設けられていてもよい。
この構成によれば、透明基板が保護基板としての機能を有するので信頼性に優れたインパネを得ることができる。また、スペーサーにより透明基板を所定の高さに設定することができる。
【００１２】
本発明においては、前記円偏光板が前記スペーサーと前記透明基板との間に、かつ、前記透明基板の露出する部位全体を覆って設けられていてもよい。
この構成によれば、外光の反射を防ぐ反射防止機能を有する円偏光板が透明基板全体を覆うように設けられるので、照明や太陽光等の外光が表示パネルに映り込むのが格段に防止され、より視認性に優れたインパネが提供できる。また、円偏光板により表示パネルと遮光板との境界が格段に見えにくくなるので、よりデザイン性に優れたインパネが提供できる。
【００１３】
本発明においては、前記指針が発光体を備えていてもよい。
この構成によれば、複数の表示パネルの表示領域が黒表示の場合、メーターの指針が発光する機能を有しているので、メーターの指針が指す表示情報の視認性を高めることができる。
【図面の簡単な説明】
【００１４】
【図１】本発明の第１実施形態におけるインパネの概略構成を示す模式図である。
【図２】本発明の第１実施形態におけるインパネの変形例を示す図である。
【図３】本発明の第２実施形態におけるインパネの概略構成を示す模式図である。
【発明を実施するための形態】
【００１５】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００１６】
（第１実施形態）
図１は本発明の第１実施形態に係るインストルメントパネル（以下、インパネという）１の概略を示す模式図である。図１（ａ）は、インパネ１の平面図である。図１（ｂ）は、図１（ａ）のＡ−Ａ線に沿った断面図である。図１（ａ）及び図１（ｂ）に示すように、本実施形態のインパネ１は、複数の有機ＥＬディスプレイ（表示パネル）１０と、複数の有機ＥＬディスプレイ１０上に、これら複数の有機ＥＬディスプレイ１０の周囲を囲む位置に設けられた遮光板１２と、遮光板１２上に設けられた表面板１３と、表面板１３上に設けられた円偏光板１４と、を備えている。また、インパネ１には、複数の有機ＥＬディスプレイ１０の平面視重なる領域外における遮光板１２と表面板１３と円偏光板１４とを貫通して軸孔１６が設けられている。また、インパネ１は、この軸孔１６を介して、駆動回路１５に電気的に接続された回動軸１７と、回動軸１７に固定された指針１８と、を備えて構成されている。
【００１７】
有機ＥＬディスプレイ１０は、表示領域（図１（ａ）中２点鎖線部）１１全面が自発光する自発光型ディスプレイである。したがって、有機ＥＬディスプレイ１０の電源オフ時は、表示領域１１全面が例えば黒表示になる。そして、インパネ１は、例えば、昼間、明るい場所であっても、夜間やトンネルのような暗い場所であっても、有機ＥＬディスプレイ１０を発光させた状態で使用する。図１（ａ）では、スピードメーターの数字等の計器類を表示させた状態となっている。
【００１８】
また、表示パネル１０として有機ＥＬディスプレイ１０（自発光型ディスプレイ）を用いるので、従来の液晶ディスプレイに比較して、黒表示時の光漏れを相対的に小さくし、視認性を良くすることができる。また、自発光型ディスプレイを用いると、前記光漏れが小さくなるので、シームレス構造とし、デザイン性を高めることが容易となる。これにより、複数の有機ＥＬディスプレイ１０を１枚の大画面のディスプレイのように見せることが可能となる。
【００１９】
複数の有機ＥＬディスプレイ１０は、それぞれ平面視矩形であり、互いに隣接して配置されている。本実施形態では、略同じサイズの有機ＥＬディスプレイ１０を４枚用いて、これらを組み合わせることにより、１枚の大画面のディスプレイのように見せている。また、略同じサイズの有機ＥＬディスプレイ１０を４枚用いて、これらを組み合わせることにより、デザイン性に優れたインパネ１としている。
【００２０】
有機ＥＬディスプレイ１０は、図示はしないが、陽極と陰極との二つの電極で機能層を挟持してなり、陽極から正孔を、陰極から電子を、それぞれ機能層に注入し、この機能層内の発光層中で正孔と電界とを再結合させることにより励起して発光する有機ＥＬ素子を有している。有機ＥＬ素子は、発光層中で正孔と電子とを再結合させることで励起子を生成し、励起状態から基底状態に戻るためにエネルギーを放出させ、放出したエネルギーの一部を光として取り出すことにより発光する。この発光光は、インパネ１の円偏光板１４が設けられた側（図１（ｂ）中矢印）から射出する。
【００２１】
遮光板１２は、複数の有機ＥＬディスプレイ１０上に、これら複数の有機ＥＬディスプレイ１０の周囲を囲む位置に設けられている。遮光板１２により余分な光が遮断されるので、画面が見やすいインパネ１となっている。
【００２２】
表面板１３は、透明基板からなり、遮光板１２上に設けられている。また、表面板１３は、遮光板１２と平面視重なるように設けられている。この表面板１３は、円偏光板１４の下地となる基板である。表面板１３が円偏光板１４の下地となることにより、複数の有機ＥＬディスプレイ１０上に遮光板１２が設けられることにより生じた段差が円偏光板１４を配置する際に影響しないようになっている。
【００２３】
円偏光板１４は、表面板１３上に設けられている。また、円偏光板１４は、表面板１３と平面視重なるように設けられている。また、円偏光板１４は、外光の反射を防ぐ反射防止機能を有し、例えば、偏光子と１／４波長板との積層体から構成されている。これにより、照明や太陽光等の外光が有機ＥＬディスプレイ１０に映り込むのが防止され、視認性に優れたインパネ１となっている。また、円偏光板１４により、有機ＥＬディスプレイ１０と遮光板１２との境界が見えにくくなり、デザイン性に優れたインパネ１となっている。
【００２４】
偏光子としては、例えば、ポリビニルアルコール系フィルムや部分ホルマール化ポリビニルアルコール系フィルム、エチレン・酢酸ビニル共重合体系部分ケン化フィルムのような親水性高分子フィルムにヨウ素及び／又は二色性染料を吸着させて延伸したもの、ポリビニルアルコールの脱水処理物やポリ塩化ビニルの脱塩酸処理物のようなポリエン配向フィルム等からなるものが挙げられる。また、リオトロピック液晶性の二色性色素や二色性色素含有のリオトロピック性物質などによる配向塗工膜からなるものも挙げられる。
【００２５】
１／４波長板としては、例えば、ポリカーボネートやポリビニルアルコール、セルロース系樹脂やポリエステル（ＰＥＴやＰＥＮ等）、ポリアリレートやポリイミド、ノルボルネン系樹脂やポリスルホン、ポリエーテルスルホンやポリプロピレンのようなポリオレフィンなどが挙げられる。
【００２６】
メーターの指針１８は、有機ＥＬディスプレイ１０の表示領域１１に一部重なる位置に
配置されている。メーターの指針１８を動かすための回動軸１７は、円形状の頭部１７ａと棒状の軸部１７ｂとを有している。回動軸１７の頭部１７ａには、指針１８ｂの一方の端部が接続されている。回動軸１７の軸部１７ｂは、軸孔１６に挿通されている。軸孔１６は、複数の有機ＥＬディスプレイ１０の平面視重なる領域外における遮光板１２と表面板１３と円偏光板１４とを貫通して設けられている。回動軸１７の軸部１７ｂは、軸孔１６を介して、モ−ター等の駆動回路１５と電気的に接続されている。そして、駆動回路１５からの信号により、回動軸１７の軸部１７ｂが回動し、頭部１７ａに固定された指針１８が回動するようになっている。
【００２７】
また、回動軸１７の頭部１７ａの直径Ｄ１は、軸孔１６の直径Ｄ３より大きくなっている。これにより、回動軸１７の頭部１７ａで軸孔１６が隠れ、軸孔１６と回動軸１７の軸部１７ｂとの間の隙間が見えないようになっている。また、回動軸１７の軸部１７ｂの直径Ｄ２は、軸孔１６の直径Ｄ３より小さくなっている。これにより、回動軸１７の軸部１７ｂがスムーズに回動し、頭部１７ａに固定された指針１８も回動軸１７の軸部１７ｂと同様にスムーズに回動するようになっている。
【００２８】
このように、複数の有機ＥＬディスプレイ１０の重なる領域外に軸孔１６を設けているので、特許文献１及び２のように表示パネルの表示領域に軸孔を設ける必要がない。このため、有機ＥＬディスプレイ１０の表示領域１１に軸孔１６を設けることなく、表示領域１１にメーターの指針１８を配置することができる。
【００２９】
また、メーターの指針１８は、発光ダイオード（ＬＥＤ）等の発光体を備えている。このため、複数の有機ＥＬディスプレイ１０の表示領域１１が黒表示の場合、メーターの指針１８が指す表示情報の視認性を高めることができる。
【００３０】
本実施形態のインパネ１によれば、有機ＥＬディスプレイ１０の重なる領域外の非表示領域にメーターの指針１８を動かすための回動軸１７の軸孔１６が設けられるので、特許文献１及び２のように表示パネルの表示領域に軸孔１６を設ける必要がない。このため、有機ＥＬディスプレイ１０の表示領域１１に軸孔１６を設けることなく、表示領域１１にメーターの指針１８を配置することができる。また、複数の有機ＥＬディスプレイ１０を有しているので、これら複数の有機ＥＬディスプレイ１０を任意に組み合わせることによりデザイン性を高めることができる。このため、特許文献３〜６のように、表示パネルの外形を異形状に切り出す必要がない。したがって、デザイン性及び機能性を兼ね備えるとともに、コストを低くし、生産性、信頼性に優れたインパネ１を得ることができる。また、余分な光を遮断する遮光板１２を備えているので、画面が見やすいインパネ１が提供できる。また、外光の反射を防ぐ反射防止機能を有する円偏光板１４を備えているので、照明や太陽光等の外光が有機ＥＬディスプレイ１０に映り込むのが防止され、視認性に優れたインパネ１が提供できる。また、円偏光板１４は有機ＥＬディスプレイ１０と遮光板１２との境界を見えにくくする機能を有するので、デザイン性に優れたインパネ１が提供できる。
【００３１】
また、この構成によれば、自発光型の有機ＥＬディスプレイ１０を用いるので、従来の液晶ディスプレイに比較して、黒表示時の光漏れを相対的に小さくし、視認性を良くすることができる。また、自発光型ディスプレイを用いると、黒表示時の光漏れが小さくなるので、シームレス構造とし、デザイン性を高めることが容易となる。これにより、複数の有機ＥＬディスプレイ１０を１枚の大画面のディスプレイのように見せることが可能となる。
【００３２】
また、この構成によれば、複数の有機ＥＬディスプレイ１０が、互いに隣接して配置されているので、複数の有機ＥＬディスプレイ１０を１枚の大画面のディスプレイのように見せることが可能となる。また、有機ＥＬディスプレイ１０の枚数や配置を任意に変更し、デザイン性に優れたインパネ１を提供することができる。
【００３３】
また、この構成によれば、メーターの指針１８が発光体を備えているので、複数の有機ＥＬディスプレイ１０の表示領域１１が黒表示の場合、メーターの指針１８が発光する機能を有しているので、メーターの指針１８が指す表示情報の視認性を高めることができる。
【００３４】
なお、本実施形態に係るインパネ１は、４枚の有機ＥＬディスプレイ１０を有しているが、これに限らない。例えば、有機ＥＬディスプレイ１０を５枚以上有していてもよい。つまり、有機ＥＬディスプレイ１０を複数枚数有してさえいればよい。
【００３５】
なお、本実施形態に係るインパネ１は、遮光板１２と円偏光板１４との間に表面板１３を設けているが、これに限らない。例えば、遮光板１２と円偏光板１４との間に表面板１３を設けずに、遮光板１２の上面に円偏光板１４を設けてもよい。
【００３６】
（変形例１）
図２は、図１に対応した、本実施形態に係る第１変形例のインパネ２の概略構成を示す模式図である。図２（ａ）は、インパネ２の平面図である。図２（ｂ）は、図２（ａ）のＢ−Ｂ線に沿った断面図である。図２（ａ）及び図２（ｂ）に示すように、本変形例のインパネ２は、２枚の有機ＥＬディスプレイ２０と、２枚の有機ＥＬディスプレイ２０上に、これら２枚の有機ＥＬディスプレイ２０の周囲を囲む位置に設けられた遮光板２２と、遮光板２２上に設けられた表面板２３と、表面板２３上に設けられた円偏光板２４と、を備えている。また、インパネ２には、２枚の有機ＥＬディスプレイ２０の平面視重なる領域外における遮光板２２と表面板２３と円偏光板２４とを貫通して軸孔２６が設けられている。
【００３７】
本変形例のインパネ２は、２枚の有機ＥＬディスプレイ２０を有している点、２枚の有機ＥＬディスプレイ２０が互いに隣接して配置されていない点、で上述の第１実施形態で説明したインパネ１と異なっている。なお、駆動回路、回動軸、メーターの指針、計器類の図示は省略している。
【００３８】
このように、４枚の有機ＥＬディスプレイ１０に代えて２枚の有機ＥＬディスプレイ２０を有していても、上述の第１実施形態と同様に、有機ＥＬディスプレイ２０の表示領域２１（図２（ａ）中２点鎖線部）に軸孔２６を設けることなく、表示領域２１にメーターの指針（図示略）を配置することができる。
【００３９】
（第２実施形態）
次に、本発明の第２実施形態に係るインパネ３の構成について、図３を用いて説明する。図３は、図１に対応した、本実施形態に係るインパネ３の概略構成を示す模式図である。図３（ａ）は、インパネ３の平面図である。図３（ｂ）は、図３（ａ）のＣ−Ｃ線に沿った断面図である。図３（ａ）及び図３（ｂ）に示すように、本実施形態のインパネ３は、保持基板４１と、保持基板４１上に設けられた２枚の有機ＥＬディスプレイ３０と、２枚の有機ＥＬディスプレイ３０上に、これら２枚の有機ＥＬディスプレイ２０の周囲を囲む位置に設けられた遮光板３２と、遮光板３２上に設けられた表面板３３と、保持基板４１上に設けられたスペーサー４２と、スペーサー４２上に設けられた円偏光板３４と、円偏光板３４の上面に設けられた透明基板４３とを備えている。また、インパネ３には、２枚の有機ＥＬディスプレイ３０の平面視重なる領域外における保持基板４１と遮光板３２と表面板３３とを貫通して２つの軸孔３６が設けられている。
【００４０】
本実施形態のインパネ３は、保持基板４１を有している点、スペーサー４２を有している点、円偏光板３４がスペーサー４２上に設けられている点、透明基板４３を有している点、２枚の有機ＥＬディスプレイ３０を有している点、２枚の有機ＥＬディスプレイ２０が互いに隣接して配置されていない点、２つの軸孔３６が設けられている点、で上述の第１実施形態で説明したインパネ１と異なっている。
【００４１】
保持基板４１は、２枚の有機ＥＬディスプレイ３０を保持する基板である。この保持基板４１により２枚の有機ＥＬディスプレイ３０がずれることなく確実に保持されている。透明基板４３は、インパネ３内部の各種構成部品を保護する保護基板としての機能を有している。また、透明基板４３は、保持基板４１上に設けられたスペーサー４２により、所定の高さに設定されている。
【００４２】
円偏光板３４は、スペーサー４２と透明基板４３との間に設けられている。また、円偏光板３４は、透明基板４３の露出する部位全体を覆って設けられている。言い換えると、円偏光板３４は、透明基板４３と平面視重なるように設けられている。このため、外光の反射を防ぐ反射防止機能を有する円偏光板３４が透明基板４３全体を覆うように設けられるので、照明や太陽光等の外光が有機ＥＬディスプレイ３０に映り込むのが格段に防止される。また、円偏光板３４により有機ＥＬディスプレイ３０と遮光板３２との境界が格段に見えにくくなる。
【００４３】
メーターの指針３８を動かすための回動軸３７は、円形状の頭部３７ａと棒状の軸部３７ｂとを有している。回動軸３７の頭部３７ａには、指針３８ｂの一方の端部が接続されている。回動軸３７の軸部３７ｂは、軸孔３６に挿通されている。軸孔３６は、２枚の有機ＥＬディスプレイ３０の平面視重なる領域外における遮光板３２と表面板３３とを貫通して設けられている。回動軸３７の軸部３７ｂは、軸孔３６を介して、モ−ター等の駆動回路３５と電気的に接続されている。そして、駆動回路３５からの信号により、回動軸３７の軸部３７ｂが回動し、頭部３７ａに固定された指針３８が回動するようになっている。
【００４４】
また、回動軸３７の頭部３７ａの直径Ｄ１は、上述の第１実施形態と同様に、軸孔３６の直径Ｄ３より大きくなっている。また、回動軸３７の軸部３７ｂの直径Ｄ２についても、上述の第１実施形態と同様に、軸孔３６の直径Ｄ３より小さくなっている。
【００４５】
２枚の有機ＥＬディスプレイ３０は、例えば、メーター表示モードとＭｐｅｇ等の動画フォーマット画像表示モードの２種類のモードを有している。メーター表示モードの場合は、メーターの指針３８が、位置３８ｂから位置３８ｃを経由して位置３８ｄまで回動する。動画フォーマット画像表示モードの場合は、メーターの指針３８が、画像表示を遮らないように位置３８ａで停止する。
【００４６】
本実施形態のインパネ３によれば、２枚の有機ＥＬディスプレイ３０を保持する保持基板４１を備えているので、２枚の有機ＥＬディスプレイ３０がずれることなく確実に保持される。したがって、デザイン性に優れたインパネ３が提供できる。
【００４７】
また、この構成によれば、保持基板４１上に設けられたスペーサー４２を介して透明基板４３が設けられており、透明基板４３が保護基板としての機能を有するので信頼性に優れたインパネ３を得ることができる。また、スペーサー４２により透明基板４３を所定の高さに設定することができる。
【００４８】
また、この構成によれば、外光の反射を防ぐ反射防止機能を有する円偏光板３４が透明基板４３全体を覆うように設けられるので、照明や太陽光等の外光が有機ＥＬディスプレイ３０に映り込むのが格段に防止され、より視認性に優れたインパネ３が提供できる。また、円偏光板３４により有機ＥＬディスプレイ３０と遮光板３２との境界が格段に見えにくくなるので、よりデザイン性に優れたインパネ３が提供できる。
【００４９】
なお、本実施形態に係るインパネ３は、スペーサー４２と透明基板４３の間に円偏光板３４を設けているが、これに限らない。例えば、上述の第１実施形態と同様に、表面板３３の上面に円偏光板３４を設けてもよい。このとき、軸孔３６は、２枚の有機ＥＬディスプレイ３０の平面視重なる領域外における遮光板３２と表面板３３に加えて円偏光板３４を貫通して設けられる。
【符号の説明】
【００５０】
１，２，３…インパネ（インストルメントパネル）、１０，２０，３０…有機ＥＬディスプレイ（表示パネル）、１２，２２，３２…遮光板、１４，２４，３４…円偏光板、１５，３５…駆動回路、１６，２６，３６…軸孔、１７，３７…回動軸、１８，３８…指針、４１…保持基板、４２…スペーサー、４３…透明基板
【図１】
2010179885.tif 000003
【図２】
2010179885.tif 000004
【図３】
2010179885.tif 000005